(57)【要約】  太陽光発電装置（３０Ａ）は、収納時に太陽光発電装置（３０Ｂ）と重ねられる。太陽光発電装置（３０Ａ）の複数の太陽電池セル（３２）には、片側の一端に角部（４１）を有する第１太陽電池セル（３２Ｘ）と、第１太陽電池セル（３２Ｘ）の隣に配置され、当該片側に対向する側の当該一端と同じ端に角取り部（４２）を有する第２太陽電池セル（３２Ｙ）とが含まれる。太陽光発電装置（３０Ａ）の緩衝部（３４）は、支持体（３１）の厚さ方向Ｄ３に沿って見たときに第１太陽電池セル（３２Ｘ）の角部（４１）と第２太陽電池セル（３２Ｙ）の角取り部（４２）との間に配置され、複数の太陽電池セル（３２）よりも支持体（３１）の厚さ方向Ｄ３の外側に突出している。
2017195289.tif 000002
【特許請求の範囲】
【請求項１】
収納時に他の太陽光発電装置と重ねられる太陽光発電装置において、
支持体と、
前記支持体の表面に配置され、前記支持体の長さ方向に沿って隣り合う複数の太陽電池セルであり、片側の一端に角部を有する第１太陽電池セルと、前記第１太陽電池セルの隣に配置され、前記片側に対向する側の前記一端と同じ端に角取り部を有する第２太陽電池セルとを含む複数の太陽電池セルと、
前記支持体の厚さ方向に沿って見たときに前記第１太陽電池セルの角部と前記第２太陽電池セルの角取り部との間に配置され、前記複数の太陽電池セルよりも前記支持体の厚さ方向の外側に突出する緩衝部と
を備える太陽光発電装置。
【請求項２】
透光性を有し、前記複数の太陽電池セルの前記支持体に近い側とは反対側に取り付けられた複数のカバーであり、前記第１太陽電池セルに取り付けられたカバーが、前記第１太陽電池セルの角部に対応する位置に角部を有し、前記第２太陽電池セルに取り付けられたカバーが、前記第２太陽電池セルの角取り部に対応する位置に角取り部を有する複数のカバーをさらに備え、
前記緩衝部が、前記第１太陽電池セルに取り付けられたカバーの角部と前記第２太陽電池セルに取り付けられたカバーの角取り部との間から突出する請求項１に記載の太陽光発電装置。
【請求項３】
前記緩衝部が、前記支持体の表面に付けられた接着剤である請求項２に記載の太陽光発電装置。
【請求項４】
前記緩衝部が、前記支持体の表面の隆起である請求項２に記載の太陽光発電装置。
【請求項５】
透光性を有し、前記複数の太陽電池セルの前記支持体に近い側とは反対側に取り付けられた複数のカバーであり、前記第１太陽電池セルに取り付けられたカバーが、前記第１太陽電池セルの角部に対応する位置に角部を有し、前記第２太陽電池セルに取り付けられたカバーが、前記第２太陽電池セルの角取り部に対応する位置に角部を有する複数のカバーをさらに備え、
前記緩衝部が、前記第２太陽電池セルに取り付けられたカバーの表面に配置された請求項１に記載の太陽光発電装置。
【請求項６】
前記緩衝部が、前記第２太陽電池セルに取り付けられたカバーの表面に付けられた接着剤である請求項５に記載の太陽光発電装置。
【請求項７】
前記第２太陽電池セルをバイパスするためのダイオードをさらに備え、
前記第１太陽電池セルが、前記第２太陽電池セルに対向する側の他端に別の角部を有し、前記第２太陽電池セルが、前記第１太陽電池セルに対向する側の前記他端と同じ端に別の角取り部を有し、
前記ダイオードが、前記別の角部と前記別の角取り部との間に配置された請求項１から６のいずれか１項に記載の太陽光発電装置。
【請求項８】
前記複数の太陽電池セルのそれぞれが、矩形の１つまたは２つの角が切り取られた多角形の板状である請求項１から６のいずれか１項に記載の太陽光発電装置。
【請求項９】
前記支持体が、前記複数の太陽電池セルに電気接続する配線が設けられたブランケットである請求項１から８のいずれか１項に記載の太陽光発電装置。
【請求項１０】
それぞれ請求項１から９のいずれか１項に記載の太陽光発電装置であり、収納時に重なり合う複数の太陽光発電装置を備える太陽電池パドル。
【請求項１１】
前記第２太陽電池セルが、前記片側に対向する側とは反対側の他端に角部を有し、
前記複数の太陽光発電装置の収納時に、前記複数の太陽光発電装置のうち互いに重なり合う２つの太陽光発電装置の一方の前記緩衝部が、前記２つの太陽光発電装置の他方の前記第２太陽電池セルの角部に対向する請求項１０に記載の太陽電池パドル。
【請求項１２】
前記複数の太陽光発電装置の収納時に、前記複数の太陽光発電装置のうち互いに重なり合う２つの太陽光発電装置の一方の前記複数の太陽電池セルが、前記支持体の幅方向にずれた位置で前記２つの太陽光発電装置の他方の前記複数の太陽電池セルに対向する請求項１０に記載の太陽電池パドル。
【請求項１３】
請求項１０から１２のいずれか１項に記載の太陽電池パドルを備える宇宙構造物。
【発明の詳細な説明】
【技術分野】
【０００１】
本発明は、太陽光発電装置、太陽電池パドルおよび宇宙構造物に関するものである。
【背景技術】
【０００２】
人工衛星に求められるミッションの増加および電気推進の普及に伴い、人工衛星に要求される電力は、近年増大傾向にある。この要求に応えるため、様々な方法で太陽電池パドルの出力電力の増大が図られている。【０００３】
具体的な方法として、太陽電池パネルに搭載される太陽電池セルの変換効率を高めたり、太陽電池パネルのサブストレートを薄型化したりする方法がある。しかし、これらの方法だけで出力電力を十分に増大させることは難しい。【０００４】
他の方法として、パネルサイズを大きくしたり、パネル枚数を増やしたりする方法がある。しかし、リジッドタイプと呼ばれる太陽電池パネルを利用した太陽電池パドルでは、ロケットのフェアリングサイズの制約から、パネルサイズおよびパネル枚数に厳しい上限がある。【０００５】
対策として、太陽電池ブランケットの採用が検討されている。フレキシブルタイプと呼ばれる太陽電池ブランケットを利用した太陽電池パドルでは、ブランケット枚数の上限が、リジッドタイプを利用した場合と比べて緩くなる。【０００６】
ブランケット枚数を最大化するためには、太陽電池セルを破損することなくブランケット間の距離を最小にすることが必要である。【０００７】
従来、パネルに搭載された太陽電池セル同士の接触に起因する破損を防止するための技術がある。特許文献１には、太陽電池セルの周囲で、太陽電池セルの４隅に対応する位置にセパレータを設ける技術が開示されている。特許文献２には、パネルの太陽電池セル実装面で、太陽電池セルの角が欠けている部分に緩衝部材を設ける技術が開示されている。
【先行技術文献】
【特許文献】
【０００８】
【特許文献１】特開昭６２−１９６８７５号公報
【特許文献２】特開２０１５−１８９４６９号公報
【発明の概要】
【発明が解決しようとする課題】
【０００９】
特許文献１に開示されている技術では、太陽電池セルの形状が正方形または正方形の４隅を切り欠いた形状である。正方形の場合、セパレータの配置スペースを確保するためにセル間隔を広げなければならず、セルサイズおよびセル個数の上限が厳しくなる。正方形の４隅を切り欠いた形状の場合、セル間隔を狭めることはできるが、セル当たりの受光面積が４隅を切り欠いた分小さくなる。すなわち、いずれの場合も、セパレータが設けられることによって出力電力の増大が阻害される。【００１０】
特許文献２に開示されている技術では、緩衝部材が太陽電池セルを部分的に覆うように設けられているため、セル当たりの受光面積が緩衝部材で覆われている分小さくなる。すなわち、緩衝部材が設けられることによって出力電力の増大が阻害される。【００１１】
本発明は、出力電力の増大を阻害することなく、支持体の表面に配置された太陽電池セル同士の接触に起因する破損を防止することを目的とする。
【課題を解決するための手段】
【００１２】
本発明の一態様に係る太陽光発電装置は、
収納時に他の太陽光発電装置と重ねられる太陽光発電装置である。
前記太陽光発電装置は、
支持体と、
前記支持体の表面に配置され、前記支持体の長さ方向に沿って隣り合う複数の太陽電池セルであり、片側の一端に角部を有する第１太陽電池セルと、前記第１太陽電池セルの隣に配置され、前記片側に対向する側の前記一端と同じ端に角取り部を有する第２太陽電池セルとを含む複数の太陽電池セルと、
前記支持体の厚さ方向に沿って見たときに前記第１太陽電池セルの角部と前記第２太陽電池セルの角取り部との間に配置され、前記複数の太陽電池セルよりも前記支持体の厚さ方向の外側に突出する緩衝部とを備える。
【発明の効果】
【００１３】
本発明では、支持体の厚さ方向の外側に突出する緩衝部が、支持体の厚さ方向に沿って見たときに第１太陽電池セルの角部と第１太陽電池セルの隣にある第２太陽電池セルの角取り部との間に配置されている。このため、出力電力の増大を阻害することなく、支持体の表面に配置された太陽電池セル同士の接触に起因する破損を防止することができる。
【図面の簡単な説明】
【００１４】
【図１】実施の形態１に係る宇宙構造物が収納されたロケットのフェアリングの断面図。
【図２】実施の形態１に係る太陽電池パドルの上面図。
【図３】実施の形態１に係る太陽電池パドルの斜視図。
【図４】実施の形態１に係る太陽光発電装置の一部の断面図。
【図５】実施の形態１に係る太陽光発電装置の斜視図および部分拡大図。
【図６】実施の形態１に係る太陽光発電装置の緩衝部が配置される領域を示す図。
【図７】実施の形態１の変形例に係る太陽光発電装置の一部の断面図。
【図８】実施の形態２に係る太陽光発電装置の斜視図および部分拡大図。
【図９】実施の形態３に係る太陽光発電装置の斜視図および部分拡大図。
【図１０】実施の形態４に係る太陽光発電装置の斜視図および部分拡大図。
【図１１】実施の形態５に係る太陽光発電装置の斜視図。
【図１２】実施の形態５に係る太陽光発電装置の収納時の重なり方を示す図。
【図１３】実施の形態６に係る太陽光発電装置の斜視図および部分拡大図。
【図１４】実施の形態７に係る太陽光発電装置の斜視図および部分拡大図。
【発明を実施するための形態】
【００１５】
以下、本発明の実施の形態について、図を用いて説明する。なお、各図中、同一または相当する部分には、同一符号を付している。実施の形態の説明において、同一または相当する部分については、説明を適宜省略または簡略化する。また、実施の形態の説明において、「上」、「下」、「左」、「右」、「前」、「後」、「表」、「裏」といった配置または向きは、説明の便宜上、そのように記しているだけであって、装置、器具、部品等の配置または向きを限定するものではない。装置、器具、部品等の構成について、材質、形状、大きさ等は、本発明の範囲内で適宜変更することができる。
【００１６】
実施の形態１．
本実施の形態について、図１から図６を用いて説明する。
【００１７】
＊＊＊構成の説明＊＊＊
図１、図２、図３および図４を参照して、本実施の形態に係る宇宙構造物１０の構成を説明する。
【００１８】
宇宙構造物１０は、本実施の形態では人工衛星であるが、宇宙ステーション等、他の種類の宇宙構造物であってもよい。
【００１９】
図１に示すように、宇宙構造物１０は、太陽電池パドル１１と、構造物本体１２と、アンテナ１３とを備える。
【００２０】
太陽電池パドル１１の略語は、ＳＡＷである。太陽電池パドル１１は、本実施の形態では、構造物本体１２の両側に接続されている。
【００２１】
構造物本体１２は、本実施の形態では衛星構体である。
【００２２】
アンテナ１３は、本実施の形態では、構造物本体１２の上面および正面に取り付けられている。
【００２３】
図２および図３に示すように、太陽電池パドル１１は、収納時に重なり合う複数の太陽光発電装置３０を備える。「複数の太陽光発電装置３０」に含まれる太陽光発電装置３０の数は、２つ以上であればよいが、本実施の形態では８つである。８つの太陽光発電装置３０は、本実施の形態では、太陽電池パドル１１の展開方向に沿って直線状に連結されている。これら８つの太陽光発電装置３０のうち、両端の太陽光発電装置３０は、展開機構２１に取り付けられた２枚の押さえ板２２にそれぞれ連結されている。展開機構２１は、本実施の形態では伸展マストである。
【００２４】
図４に示すように、太陽光発電装置３０は、本実施の形態では太陽電池ブランケットである。太陽光発電装置３０は、具体的には、配線１４をポリイミド製の絶縁フィルム１５で挟み込んだ構造を持つ支持体３１の表面に複数の太陽電池セル３２を実装したものである。
【００２５】
配線１４は、本実施の形態では銅箔パターンであるが、ワイヤでもよいし、銅以外の導電体のパターンでもよい。
【００２６】
太陽電池セル３２の略語は、ＳＣである。太陽電池セル３２は、単に「セル」と呼ばれることがある。各々の太陽電池セル３２は、電気的に接続されて太陽電池回路を構成する。太陽電池セル３２の下面は、接着剤１６によって支持体３１の表面に貼り付けられている。
【００２７】
太陽電池セル３２の上面は、保護用のカバー３３で覆われている。カバー３３は、本実施の形態ではカバーガラスであるが、透明樹脂製のカバー等、他の種類のカバーであってもよい。カバーガラスが一体化された太陽電池セル３２は、「カバーガラス一体型太陽電池セル」と呼ばれる。カバーガラス一体型太陽電池セルの略語は、ＣＩＣである。
【００２８】
隣り合う太陽電池セル３２同士は、電力取り出し用の金属製部品であるインターコネクタ１７によって電気接続されている。インターコネクタ１７が一体化された太陽電池セル３２は、「コネクタ一体型太陽電池セル」と呼ばれる。コネクタ一体型太陽電池セルの略語も、ＣＩＣである。
【００２９】
太陽電池回路で発生した電力は、図示していないバスバーと呼ばれる金属製部品から配線１４を経由して取り出され、構造物本体１２へ送られる。
【００３０】
太陽電池パドル１１は、ロケット打ち上げ時には、折り畳まれた状態でロケットのフェアリング２０内に収納される。太陽電池パドル１１は、宇宙構造物１０が宇宙空間に暴露された後に、展開機構２１の作動により展開し、太陽光を受けて発電を開始する。本実施の形態では、太陽電池パドル１１が折り畳まれた状態での太陽光発電装置３０間の距離が小さく、望ましくは最小になっている。このため、搭載可能なブランケット枚数を増やしたり、宇宙構造物１０のサイズおよび重量を小さくしたりすることができる。
【００３１】
前述したように、リジッドタイプと呼ばれる太陽電池パネルを利用した太陽電池パドルでは、ロケットのフェアリングサイズの制約から、パネルサイズおよびパネル枚数に厳しい上限がある。パネル枚数を増やすために太陽電池パネルのサブストレートを薄型化するとしても、構造上限界がある。本実施の形態では、フレキシブルタイプと呼ばれる太陽電池ブランケットを採用しているため、ブランケット枚数の上限が、リジッドタイプを利用した場合と比べて緩くなっている。これは、太陽電池セル３２が、サブストレートの厚い板構造上に実装される代わりに、絶縁フィルム１５の薄い膜構造上に実装されているからである。太陽電池セル３２として薄膜太陽電池セルを搭載することによって、また、配線１４をブランケット面内に埋め込み、太陽電池セル３２間のインターコネクタ１７の面外方向への高さを抑えた設計を採用することによって、ブランケット枚数をさらに増やすことができる。
【００３２】
展開機構２１は、高弾性部材をねじりながら収納する際に蓄えられた弾性ひずみエネルギーを解放することで伸展する。本実施の形態では、このような展開機構２１の伸展によって、機械的に接続された太陽電池ブランケットを展開することができる。このため、太陽電池パネルで採用されている保持点の解放とは異なり、保持点金具が不要となる。よって、収納時のブランケット間の距離を、リジッドタイプを利用した場合と比べて短くすることができる。対向するブランケット上の太陽電池セル３２同士がほぼ接触するようにブランケット間の距離を設定することで、フェアリング２０内のブランケット枚数を最大化することができる。
【００３３】
本実施の形態では、太陽電池セル３２同士がほぼ接触したまま宇宙構造物１０がロケットの打ち上げ環境に曝されても、太陽電池セル３２が破損して発電効率が低下しないようにするため、以下に説明する構成を太陽光発電装置３０に採用している。
【００３４】
図５および図６を参照して、本実施の形態に係る太陽光発電装置３０の構成を説明する。
【００３５】
図５では、前述した８つの太陽光発電装置３０のうち、任意の４つの太陽光発電装置３０に相当する２対の太陽光発電装置３０Ａ，３０Ｂを示している。
【００３６】
太陽光発電装置３０Ａは、収納時に太陽光発電装置３０Ｂと重ねられる。
【００３７】
太陽光発電装置３０Ａは、支持体３１と、複数の太陽電池セル３２と、複数のカバー３３とを備える。太陽光発電装置３０Ａは、緩衝部３４，３５と、ダイオード３６とをさらに備える。
【００３８】
支持体３１は、本実施の形態では、図４に示したように、複数の太陽電池セル３２に電気接続する配線１４が設けられたブランケットである。
【００３９】
複数の太陽電池セル３２は、支持体３１の表面に配置されている。複数の太陽電池セル３２は、支持体３１の長さ方向Ｄ１に沿って隣り合っている。複数の太陽電池セル３２は、支持体３１の長さ方向Ｄ１に沿って１列に配置されていてもよいが、本実施の形態では、複数列に配置されており、具体的には、２列に配置されている。すなわち、複数の太陽電池セル３２は、本実施の形態では、支持体３１の長さ方向Ｄ１および幅方向Ｄ２に沿って隣り合っている。太陽電池セル３２の数は、１列につき２つ以上であればよいが、本実施の形態では、１列につき８つである。各列の８つの太陽電池セル３２は、互いに直列接続され、１つの太陽電池モジュールを構成している。
【００４０】
複数の太陽電池セル３２には、片側の一端に角部４１を有する第１太陽電池セル３２Ｘが含まれる。複数の太陽電池セル３２には、第１太陽電池セル３２Ｘの隣に配置され、当該片側に対向する側の当該一端と同じ端に角取り部４２を有する第２太陽電池セル３２Ｙも含まれる。図５に示した太陽光発電装置３０Ａでは、第１太陽電池セル３２Ｘの「片側」は、上側である。第１太陽電池セル３２Ｘの「一端」は、左端である。第２太陽電池セル３２Ｙの「当該片側に対向する側」は、下側である。第２太陽電池セル３２Ｙの「当該一端と同じ端」は、左端である。ｉ＝１，・・・，７とし、各列の下からｉ番目の太陽電池セル３２を第１太陽電池セル３２Ｘとみなしたとき、図５に示した太陽光発電装置３０Ａでは、各列の下から（ｉ＋１）番目の太陽電池セル３２が第２太陽電池セル３２Ｙに該当する。
【００４１】
緩衝部３４は、支持体３１の厚さ方向Ｄ３に沿って見たときに第１太陽電池セル３２Ｘの角部４１と第２太陽電池セル３２Ｙの角取り部４２との間に配置されている。緩衝部３４は、複数の太陽電池セル３２よりも支持体３１の厚さ方向Ｄ３の外側に突出している。すなわち、緩衝部３４は、いずれの太陽電池セル３２よりも高い位置まで突出している。
【００４２】
複数の太陽電池セル３２には、支持体３１の長さ方向Ｄ１の一端縁または当該一端縁の近傍に配置され、当該一端縁に近い側の一端に角取り部４２を有する第３太陽電池セル３２Ｚも含まれる。図５に示した太陽光発電装置３０Ａでは、支持体３１の長さ方向Ｄ１の「一端縁」は、「下端縁」である。第３太陽電池セル３２Ｚの「当該一端縁に近い側」は、下側である。第３太陽電池セル３２Ｚの「一端」は、左端である。図５に示した太陽光発電装置３０Ａでは、各列の下から１番目の太陽電池セル３２が第３太陽電池セル３２Ｚに該当する。
【００４３】
緩衝部３５は、支持体３１の厚さ方向Ｄ３に沿って見たときに支持体３１の長さ方向Ｄ１の一端縁と第３太陽電池セル３２Ｚの角取り部４２との間に配置されている。緩衝部３５は、複数の太陽電池セル３２よりも支持体３１の厚さ方向Ｄ３の外側に突出している。すなわち、緩衝部３５は、いずれの太陽電池セル３２よりも高い位置まで突出している。
【００４４】
複数のカバー３３は、透光性を有する。複数のカバー３３は、複数の太陽電池セル３２の支持体３１に近い側とは反対側、すなわち、複数の太陽電池セル３２の表側に取り付けられている。
【００４５】
第１太陽電池セル３２Ｘに取り付けられたカバー３３は、第１太陽電池セル３２Ｘの角部４１に対応する位置に角部５１を有する。すなわち、第１太陽電池セル３２Ｘに取り付けられたカバー３３には、支持体３１の厚さ方向Ｄ３に沿って第１太陽電池セル３２Ｘの角部４１とほぼ重なる角部５１が形成されている。第２太陽電池セル３２Ｙに取り付けられたカバー３３は、第２太陽電池セル３２Ｙの角取り部４２に対応する位置に角取り部５２を有する。すなわち、第２太陽電池セル３２Ｙに取り付けられたカバー３３には、支持体３１の厚さ方向Ｄ３に沿って第２太陽電池セル３２Ｙの角取り部４２とほぼ重なる角取り部５２が形成されている。
【００４６】
本実施の形態において、緩衝部３４は、第１太陽電池セル３２Ｘに取り付けられたカバー３３の角部５１と第２太陽電池セル３２Ｙに取り付けられたカバー３３の角取り部５２との間から突出している。緩衝部３４は、いずれのカバー３３よりも高い位置まで突出している。
【００４７】
第３太陽電池セル３２Ｚに取り付けられたカバー３３も、第３太陽電池セル３２Ｚの角取り部４２に対応する位置に角取り部５２を有する。すなわち、第３太陽電池セル３２Ｚに取り付けられたカバー３３には、支持体３１の厚さ方向Ｄ３に沿って第３太陽電池セル３２Ｚの角取り部４２とほぼ重なる角取り部５２が形成されている。
【００４８】
本実施の形態において、緩衝部３５は、支持体３１の長さ方向Ｄ１の一端縁と第３太陽電池セル３２Ｚに取り付けられたカバー３３の角取り部５２との間から突出している。緩衝部３５は、いずれのカバー３３よりも高い位置まで突出している。
【００４９】
第１太陽電池セル３２Ｘは、第２太陽電池セル３２Ｙに対向する側の他端に別の角部４３を有する。第２太陽電池セル３２Ｙは、第１太陽電池セル３２Ｘに対向する側の当該他端と同じ端に別の角取り部４４を有する。図５に示した太陽光発電装置３０Ａでは、第１太陽電池セル３２Ｘの「第２太陽電池セル３２Ｙに対向する側」は、上側である。第１太陽電池セル３２Ｘの「他端」は、右端である。第２太陽電池セル３２Ｙの「第１太陽電池セル３２Ｘに対向する側」は、下側である。第２太陽電池セル３２Ｙの「当該他端と同じ端」は、右端である。
【００５０】
第３太陽電池セル３２Ｚは、支持体３１の長さ方向Ｄ１の一端縁に近い側の他端に別の角取り部４４を有する。図５に示した太陽光発電装置３０Ａでは、第３太陽電池セル３２Ｚの「他端」は、右端である。
【００５１】
第１太陽電池セル３２Ｘに取り付けられたカバー３３は、第１太陽電池セル３２Ｘの角部４３に対応する位置に角部５３を有する。すなわち、第１太陽電池セル３２Ｘに取り付けられたカバー３３には、支持体３１の厚さ方向Ｄ３に沿って第１太陽電池セル３２Ｘの角部４３とほぼ重なる角部５３が形成されている。第２太陽電池セル３２Ｙに取り付けられたカバー３３は、第２太陽電池セル３２Ｙの角取り部４４に対応する位置に角取り部ではなく、角部５４を有する。すなわち、第２太陽電池セル３２Ｙに取り付けられたカバー３３には、支持体３１の厚さ方向Ｄ３に沿って第２太陽電池セル３２Ｙの角取り部４４と部分的に重なる角部５４が形成されている。
【００５２】
第３太陽電池セル３２Ｚに取り付けられたカバー３３も、第３太陽電池セル３２Ｚの角取り部４４に対応する位置に角取り部ではなく、角部５４を有する。すなわち、第３太陽電池セル３２Ｚに取り付けられたカバー３３には、支持体３１の厚さ方向Ｄ３に沿って第３太陽電池セル３２Ｚの角取り部４４と部分的に重なる角部５４が形成されている。
【００５３】
ダイオード３６は、複数の太陽電池セル３２のそれぞれをバイパスするために、複数の太陽電池セル３２のそれぞれに接合された素子である。第２太陽電池セル３２をバイパスするためのダイオード３６は、第１太陽電池セル３２Ｘの角部４３と第２太陽電池セル３２Ｙの角取り部４４との間に配置されている。第２太陽電池セル３２をバイパスするためのダイオード３６は、第２太陽電池セル３２Ｙに取り付けられたカバー３３の角部５４によって覆われている。第３太陽電池セル３２Ｚをバイパスするためのダイオード３６も、支持体３１の長さ方向Ｄ１の一端縁と第３太陽電池セル３２Ｚの角取り部４４との間に配置されている。第３太陽電池セル３２Ｚをバイパスするためのダイオード３６も、第３太陽電池セル３２Ｚに取り付けられたカバー３３の角部５４によって覆われている。
【００５４】
緩衝部３４，３５は、緩衝機能を発揮する任意の材料で形成されたものでよいが、本実施の形態では、支持体３１の表面に付けられた接着剤である。具体的には、緩衝部３４，３５は、製造工程の効率化および材料費の削減のため、太陽電池セル３２を支持体３１の表面に接着するための接着剤１６と同じ接着剤である。緩衝部３４，３５は、任意の形状でよいが、本実施の形態では、支持体３１の表面に滴下されて硬化した接着剤であるため、円柱状またはドーム状である。
【００５５】
本実施の形態では、複数の太陽電池セル３２のそれぞれが、矩形の２つの角が切り取られた多角形の板状である。このため、図６に示すように、第１太陽電池セル３２Ｘの角部４１と第２太陽電池セル３２Ｙの角取り部４２との間には、三角形状の領域４０が形成されている。緩衝部３４の直径は、この領域４０内に緩衝部３４が収まる程度の大きさである。領域４０の内接円の直径は、５０ミリメートル程度であることが想定される。よって、緩衝部３４の直径は、５０ミリメートル以下であることが望ましい。緩衝部３５の直径についても、緩衝部３４の直径と同じである。なお、ダイオード３６を省略して、複数の太陽電池セル３２のそれぞれを、矩形の１つの角が切り取られた多角形の板状としてもよい。ここで、太陽電池セル３２を、矩形の１つまたは２つの角が切り取られた多角形の板状とする製造方法は、実際に角を切り取る工程を含むものに限らず、最終的な形状として、角が切り取られた多角形の板状が得られるものであればよい。
【００５６】
緩衝部３４，３５の高さ寸法は、太陽電池セル３２の厚さ寸法とカバー３３の厚さ寸法との合計を超える大きさである。薄膜太陽電池セルを採用する場合、太陽電池セル３２の厚さ寸法とカバー３３の厚さ寸法との合計は、１００マイクロメートル未満であることが想定される。よって、緩衝部３４，３５の高さ寸法は、１００マイクロメートル以上であることが望ましい。また、ブランケット間の距離を小さくするためには、緩衝部３４，３５の高さ寸法は、１センチメートル以下であることが望ましい。
【００５７】
本実施の形態において、緩衝部３４，３５の高さ寸法は、太陽電池パドル１１が折り畳まれた状態で隣接ブランケット間の太陽電池セル３２同士が接触しない最小限の隙間を維持できる大きさである。したがって、ロケット打ち上げ環境下での太陽電池セル３２同士の衝突に起因する太陽電池セル３２の損傷を防止することができる。
【００５８】
太陽光発電装置３０Ｂの構成は、磁気モーメントを考慮して太陽電池モジュールの向きが逆になっている点を除き、太陽光発電装置３０Ａの構成と同じである。すなわち、太陽光発電装置３０Ｂは、太陽光発電装置３０Ａを正面から見て１８０度回転したような構成になっている。
【００５９】
本実施の形態では、複数の太陽光発電装置３０の収納時に、複数の太陽光発電装置３０のうち、互いに重なり合う２つの太陽光発電装置３０の一方である太陽光発電装置３０Ａの緩衝部３４，３５が、当該２つの太陽光発電装置３０の他方である太陽光発電装置３０Ｂの角部４１に対向する。
【００６０】
＊＊＊実施の形態の効果の説明＊＊＊
本実施の形態では、支持体３１の厚さ方向Ｄ３の外側に突出する緩衝部３４が、支持体３１の厚さ方向Ｄ３に沿って見たときに第１太陽電池セル３２Ｘの角部４１と第１太陽電池セル３２Ｘの隣にある第２太陽電池セル３２Ｙの角取り部４２との間に配置されている。また、支持体３１の厚さ方向Ｄ３の外側に突出する緩衝部３５が、支持体３１の厚さ方向Ｄ３に沿って見たときに支持体３１の長さ方向Ｄ１の一端縁と第３太陽電池セル３２Ｚの角取り部４２との間に配置されている。このため、出力電力の増大を阻害することなく、支持体３１の表面に配置された太陽電池セル３２同士の接触に起因する破損を防止することができる。
【００６１】
本実施の形態では、ダイオード３６が設置されない側のセル端部の空き領域４０に緩衝部３４または緩衝部３５が設置されている。緩衝部３４，３５は、支持体３１上に直接設置されており、セル端部の空き領域４０に収まる大きさであるため、太陽電池セル３２の発電面積の減損はない。
【００６２】
本実施の形態では、太陽電池セル３２の接着工程と合わせてセル端部の空き領域４０に緩衝部３４，３５を設置することができる。このため、緩衝部３４，３５の施工が安価かつ容易である。緩衝部３４，３５の施工は、セル実装面のみに実施されるため、ブランケットのユニバーサルデザインが可能となり、コストを抑制したり、設計、製造および試験の手間を削減したりすることができる。
【００６３】
本実施の形態によれば、コスト上昇および信頼性低下を回避しながら人工衛星の小型化、軽量化および大電力化に寄与することができる。
【００６４】
＊＊＊他の構成＊＊＊
本実施の形態では、すべての太陽電池セル３２に対して緩衝部３４または緩衝部３５が１対１で設置されているが、ブランケットサイズおよびセルサイズによっては、いくつかの太陽電池セル３２に対して緩衝部３４または緩衝部３５が１対多で設置されていてもよい。緩衝部３４または緩衝部３５の数を減らすことで、打ち上げ環境に耐え得る範囲内での軽量化および製造簡略化が可能となる。
【００６５】
本実施の形態では、図４に示したように、太陽光発電装置３０が太陽電池ブランケットとして構成されているが、変形例として、図７に示すように、太陽光発電装置３０が太陽電池パネルとして構成されていてもよい。
【００６６】
この変形例において、太陽光発電装置３０は、アルミニウム製のハニカムコア１８を炭素繊維強化プラスチック製の表皮１９で挟み込んだ構造を持つ支持体３１の表面に太陽電池セル３２、裏面に配線１４を実装したものである。支持体３１は、前述したサブストレートに相当する。炭素繊維強化プラスチックの略語は、ＣＦＲＰである。なお、ハニカムコア１８は、アルミニウムに限らず、カーボン等、他の材料で形成されていてもよい。
【００６７】
実施の形態２．
本実施の形態について、図８を用いて主に実施の形態１との差異を説明する。
【００６８】
＊＊＊構成の説明＊＊＊
図８を参照して、本実施の形態に係る太陽光発電装置３０の構成を説明する。
【００６９】
図８では、図５と同じように、８つの太陽光発電装置３０のうち、任意の４つの太陽光発電装置３０に相当する２対の太陽光発電装置３０Ｃ，３０Ｄを示している。
【００７０】
太陽光発電装置３０Ｃは、収納時に太陽光発電装置３０Ｄと重ねられる。
【００７１】
太陽光発電装置３０Ｃの構成は、以下に説明する点を除き、実施の形態１における太陽光発電装置３０Ａの構成と同じである。
【００７２】
第２太陽電池セル３２Ｙに取り付けられたカバー３３は、第２太陽電池セル３２Ｙの角取り部４２に対応する位置に角取り部ではなく、角部５５を有する。すなわち、第２太陽電池セル３２Ｙに取り付けられたカバー３３には、支持体３１の厚さ方向Ｄ３に沿って第２太陽電池セル３２Ｙの角取り部４２と部分的に重なる角部５５が形成されている。
【００７３】
本実施の形態において、緩衝部３４は、第２太陽電池セル３２Ｙに取り付けられたカバー３３の表面に配置されている。緩衝部３４が、支持体３１の厚さ方向Ｄ３に沿って見たときに第１太陽電池セル３２Ｘの角部４１と第２太陽電池セル３２Ｙの角取り部４２との間に配置されている点については、実施の形態１と同じである。緩衝部３４が、複数の太陽電池セル３２よりも支持体３１の厚さ方向Ｄ３の外側に突出している点についても、実施の形態１と同じである。
【００７４】
第３太陽電池セル３２Ｚに取り付けられたカバー３３も、第３太陽電池セル３２Ｚの角取り部４２に対応する位置に角取り部ではなく、角部５５を有する。すなわち、第３太陽電池セル３２Ｚに取り付けられたカバー３３には、支持体３１の厚さ方向Ｄ３に沿って第３太陽電池セル３２Ｚの角取り部４２と部分的に重なる角部５５が形成されている。
【００７５】
本実施の形態において、緩衝部３５は、第３太陽電池セル３２Ｚに取り付けられたカバー３３の表面に配置されている。緩衝部３５が、支持体３１の厚さ方向Ｄ３に沿って見たときに支持体３１の長さ方向Ｄ１の一端縁と第３太陽電池セル３２Ｚの角取り部４２との間に配置されている点については、実施の形態１と同じである。緩衝部３５が、複数の太陽電池セル３２よりも支持体３１の厚さ方向Ｄ３の外側に突出している点についても、実施の形態１と同じである。
【００７６】
緩衝部３４，３５は、緩衝機能を発揮する任意の材料で形成されたものでよいが、本実施の形態では、カバー３３の表面に付けられた接着剤である。具体的には、緩衝部３４，３５は、製造工程の効率化および材料費の削減のため、太陽電池セル３２を支持体３１の表面に接着するための接着剤１６と同じ接着剤である。緩衝部３４，３５は、任意の形状でよいが、本実施の形態では、支持体３１の表面に滴下されて硬化した接着剤であるため、円柱状またはドーム状である。
【００７７】
緩衝部３４，３５の直径は、実施の形態１と同じように、５０ミリメートル以下であることが望ましい。
【００７８】
緩衝部３４，３５の高さ寸法は、実施の形態１と異なり、１００マイクロメートル未満でもよい。ブランケット間の距離を小さくするためには、緩衝部３４，３５の高さ寸法は、１センチメートル以下であることが望ましい。
【００７９】
本実施の形態において、緩衝部３４，３５の高さ寸法は、実施の形態１と同じように、太陽電池パドル１１が折り畳まれた状態で隣接ブランケット間の太陽電池セル３２同士が接触しない最小限の隙間を維持できる大きさである。したがって、ロケット打ち上げ環境下での太陽電池セル３２同士の衝突に起因する太陽電池セル３２の損傷を防止することができる。
【００８０】
太陽光発電装置３０Ｄの構成は、磁気モーメントを考慮して太陽電池モジュールの向きが逆になっている点を除き、太陽光発電装置３０Ｃの構成と同じである。すなわち、太陽光発電装置３０Ｄは、太陽光発電装置３０Ｃを正面から見て１８０度回転したような構成になっている。
【００８１】
＊＊＊実施の形態の効果の説明＊＊＊
本実施の形態では、実施の形態１と同等の効果が得られるほか、緩衝部３４，３５に衝撃が加えられた場合に、その衝撃をカバー３３で受けることができるため、太陽光発電装置３０の剛性が増すという効果も得られる。
【００８２】
本実施の形態では、カバー３３が、ダイオード３６が設置されない側のセル端部の空き領域４０を覆う大きさになっている。緩衝部３４，３５は、カバー３３上に設置されており、剛性のあるカバー３３によって支えられているため、緩衝部３４，３５の衝撃吸収効果が高まる。緩衝部３４，３５は、実施の形態１と同じように、セル端部の空き領域４０に収まる大きさであるため、太陽電池セル３２の発電面積の減損はない。
【００８３】
＊＊＊他の構成＊＊＊
本実施の形態では、実施の形態１と同じように、すべての太陽電池セル３２に対して緩衝部３４または緩衝部３５が１つずつ設置されているが、緩衝部３４または緩衝部３５の数は減らしてもよい。
【００８４】
本実施の形態では、実施の形態１と同じように、太陽光発電装置３０が太陽電池ブランケットとして構成されているが、実施の形態１の変形例と同じように、太陽光発電装置３０が太陽電池パネルとして構成されていてもよい。
【００８５】
実施の形態３．
本実施の形態について、図９を用いて主に実施の形態１との差異を説明する。
＊＊＊構成の説明＊＊＊
図９を参照して、本実施の形態に係る太陽光発電装置３０の構成を説明する。
【００８６】
図９では、図５と同じように、８つの太陽光発電装置３０のうち、任意の４つの太陽光発電装置３０に相当する２対の太陽光発電装置３０Ｅ，３０Ｆを示している。
【００８７】
太陽光発電装置３０Ｅは、収納時に太陽光発電装置３０Ｆと重ねられる。
【００８８】
太陽光発電装置３０Ｅの構成は、以下に説明する点を除き、実施の形態１における太陽光発電装置３０Ａの構成と同じである。
【００８９】
緩衝部３４，３５は、本実施の形態では、支持体３１の表面に付けられた接着剤ではなく、支持体３１の表面の隆起である。緩衝部３４，３５は、ブランケットの膜構造を凹凸のある金型で挟んで一部を凸状に浮き上がらせるエンボス加工等の方法を用いて支持体３１に形成される。緩衝部３４，３５は、任意の形状でよいが、本実施の形態では、円柱状である。
【００９０】
太陽光発電装置３０Ｆの構成は、磁気モーメントを考慮して太陽電池モジュールの向きが逆になっている点を除き、太陽光発電装置３０Ｅの構成と同じである。すなわち、太陽光発電装置３０Ｆは、太陽光発電装置３０Ｅを正面から見て１８０度回転したような構成になっている。
【００９１】
＊＊＊実施の形態の効果の説明＊＊＊
本実施の形態では、実施の形態１と同等の効果が得られるほか、緩衝部３４，３５をセル実装前にブランケットに設けることができ、太陽電池セル３２の位置決めが可能となるという効果も得られる。
【００９２】
本実施の形態では、事前にブランケットに凸加工を施すだけで緩衝部３４，３５を設置することができる。このため、緩衝部３４，３５の施工が安価かつ容易である。緩衝部３４，３５の施工は、セル実装面のみに実施されるため、ブランケットのユニバーサルデザインが可能となり、コストを抑制したり、設計、製造および試験の手間を削減したりすることができる。
【００９３】
＊＊＊他の構成＊＊＊
本実施の形態では、実施の形態１と同じように、すべての太陽電池セル３２に対して緩衝部３４または緩衝部３５が１つずつ設置されているが、緩衝部３４または緩衝部３５の数は減らしてもよい。
【００９４】
本実施の形態では、実施の形態１と同じように、太陽光発電装置３０が太陽電池ブランケットとして構成されているが、実施の形態１の変形例と同じように、太陽光発電装置３０が太陽電池パネルとして構成されていてもよい。
【００９５】
実施の形態４．
本実施の形態について、図１０を用いて主に実施の形態１との差異を説明する。
＊＊＊構成の説明＊＊＊
図１０を参照して、本実施の形態に係る太陽光発電装置３０の構成を説明する。
【００９６】
図１０では、図５と同じように、８つの太陽光発電装置３０のうち、任意の４つの太陽光発電装置３０に相当する２対の太陽光発電装置３０Ａ，３０Ｇを示している。
【００９７】
太陽光発電装置３０Ａは、収納時に太陽光発電装置３０Ｇと重ねられる。
【００９８】
太陽光発電装置３０Ａの構成は、実施の形態１における太陽光発電装置３０Ａの構成と同じである。
【００９９】
太陽光発電装置３０Ｇの構成は、以下に説明するように、緩衝部３４，３５とダイオード３６との位置が入れ替わっている点を除き、実施の形態１における太陽光発電装置３０Ｂの構成と同じである。すなわち、太陽光発電装置３０Ｇは、太陽光発電装置３０Ａを支持体３１の長さ方向Ｄ１において反転したような構成になっている。
【０１００】
第１太陽電池セル３２Ｘは、片側の一端に角部４１を有する。第２太陽電池セル３２Ｙは、第１太陽電池セル３２Ｘの隣に配置され、当該片側に対向する側の当該一端と同じ端に角取り部４２を有する。第２太陽電池セル３２Ｙは、当該片側に対向する側とは反対側の他端に角部４３を有する。図１０に示した太陽光発電装置３０Ｇでは、第１太陽電池セル３２Ｘの「片側」は、図５に示した太陽光発電装置３０Ｂと同じように、下側である。第１太陽電池セル３２Ｘの「一端」は、図５に示した太陽光発電装置３０Ｂと異なり、左端である。第２太陽電池セル３２Ｙの「当該片側に対向する側」は、図５に示した太陽光発電装置３０Ｂと同じように、上側である。第２太陽電池セル３２Ｙの「当該一端と同じ端」は、図５に示した太陽光発電装置３０Ｂと異なり、左端である。第２太陽電池セル３２Ｙの「当該片側に対向する側とは反対側」は、図５に示した太陽光発電装置３０Ｂと同じように、下側である。第２太陽電池セル３２Ｙの「他端」は、図５に示した太陽光発電装置３０Ｂと異なり、右端である。ｉ＝１，・・・，７とし、各列の上からｉ番目の太陽電池セル３２を第１太陽電池セル３２Ｘとみなしたとき、図１０に示した太陽光発電装置３０Ｇでは、図５に示した太陽光発電装置３０Ｂと同じように、各列の上から（ｉ＋１）番目の太陽電池セル３２が第２太陽電池セル３２Ｙに該当する。
【０１０１】
緩衝部３４が、支持体３１の厚さ方向Ｄ３に沿って見たときに第１太陽電池セル３２Ｘの角部４１と第２太陽電池セル３２Ｙの角取り部４２との間に配置されている点については、実施の形態１における太陽光発電装置３０Ｂと同じである。緩衝部３４が、複数の太陽電池セル３２よりも支持体３１の厚さ方向Ｄ３の外側に突出している点についても、実施の形態１における太陽光発電装置３０Ｂと同じである。
【０１０２】
第３太陽電池セル３２Ｚは、支持体３１の長さ方向Ｄ１の他端縁または当該他端縁の近傍に配置され、当該他端縁に近い側の一端に角取り部４２を有する。第３太陽電池セル３２Ｚは、当該他端縁に近い側とは反対側の他端に角部４３を有する。図１０に示した太陽光発電装置３０Ｇでは、支持体３１の長さ方向Ｄ１の「他端縁」は、図５に示した太陽光発電装置３０Ｂと同じように、「上端縁」である。第３太陽電池セル３２Ｚの「当該他端縁に近い側」は、図５に示した太陽光発電装置３０Ｂと同じように、上側である。第３太陽電池セル３２Ｚの「一端」は、図５に示した太陽光発電装置３０Ｂと異なり、左端である。第３太陽電池セル３２Ｚの「当該他端縁に近い側とは反対側」は、図５に示した太陽光発電装置３０Ｂと同じように、下側である。第３太陽電池セル３２Ｚの「他端」は、図５に示した太陽光発電装置３０Ｂと異なり、右端である。図１０に示した太陽光発電装置３０Ｇでは、図５に示した太陽光発電装置３０Ｂと同じように、各列の上から１番目の太陽電池セル３２が第３太陽電池セル３２Ｚに該当する。
【０１０３】
緩衝部３５は、支持体３１の厚さ方向Ｄ３に沿って見たときに支持体３１の長さ方向Ｄ１の他端縁と第３太陽電池セル３２Ｚの角取り部４２との間に配置されている点については、実施の形態１における太陽光発電装置３０Ｂと同じである。緩衝部３５は、複数の太陽電池セル３２よりも支持体３１の厚さ方向Ｄ３の外側に突出している点についても、実施の形態１における太陽光発電装置３０Ｂと同じである。
【０１０４】
第１太陽電池セル３２Ｘは、第２太陽電池セル３２Ｙに対向する側の他端に別の角部４３を有する。第２太陽電池セル３２Ｙは、第１太陽電池セル３２Ｘに対向する側の当該他端と同じ端に別の角取り部４４を有する。図１０に示した太陽光発電装置３０Ｇでは、第１太陽電池セル３２Ｘの「第２太陽電池セル３２Ｙに対向する側」は、図５に示した太陽光発電装置３０Ｂと同じように、上側である。第１太陽電池セル３２Ｘの「他端」は、図５に示した太陽光発電装置３０Ｂと異なり、右端である。第２太陽電池セル３２Ｙの「第１太陽電池セル３２Ｘに対向する側」は、図５に示した太陽光発電装置３０Ｂと同じように、下側である。第２太陽電池セル３２Ｙの「当該他端と同じ端」は、図５に示した太陽光発電装置３０Ｂと異なり、右端である。
【０１０５】
第３太陽電池セル３２Ｚは、支持体３１の長さ方向Ｄ１の他端縁に近い側の他端に別の角取り部４４を有する。図１０に示した太陽光発電装置３０Ｇでは、第３太陽電池セル３２Ｚの「他端」は、図５に示した太陽光発電装置３０Ｂと異なり、右端である。
【０１０６】
第２太陽電池セル３２をバイパスするためのダイオード３６が、第１太陽電池セル３２Ｘの角部４３と第２太陽電池セル３２Ｙの角取り部４４との間に配置されている点については、実施の形態１における太陽光発電装置３０Ｂと同じである。第３太陽電池セル３２Ｚをバイパスするためのダイオード３６が、支持体３１の長さ方向Ｄ１の他端縁と第３太陽電池セル３２Ｚの角取り部４４との間に配置されている点についても、実施の形態１における太陽光発電装置３０Ｂと同じである。
【０１０７】
以上の説明より、カバー３３に関する太陽光発電装置３０Ｂとの差異は自明であるため、説明を省略する。
【０１０８】
本実施の形態では、複数の太陽光発電装置３０の収納時に、複数の太陽光発電装置３０のうち、互いに重なり合う２つの太陽光発電装置３０の一方である太陽光発電装置３０Ａの緩衝部３４，３５が、当該２つの太陽光発電装置３０の他方である太陽光発電装置３０Ｇの角部４３に対向する。すなわち、本実施の形態では、隣接する太陽光発電装置３０Ａ，３０Ｇ間で、太陽電池セル３２に対する緩衝部３４，３５の配置およびダイオード３６の接合位置が左右逆になっている。このため、収納時に接触する隣接ブランケット間の緩衝部３４，３５の位置が太陽電池セル３２の対角箇所になる。よって、実施の形態１に比べて、太陽電池パドル１１が折り畳まれた状態での太陽光発電装置３０の平面度が向上し、ブランケット間の距離をより小さくすることができる。
【０１０９】
＊＊＊実施の形態の効果の説明＊＊＊
本実施の形態では、実施の形態１と同等の効果が得られるほか、太陽電池パドル１１が折り畳まれた状態での太陽光発電装置３０の平面度が向上するため、収納時の太陽電池パドル１１の小型化が可能になるという効果も得られる。
【０１１０】
＊＊＊他の構成＊＊＊
本実施の形態では、実施の形態１と同じように、緩衝部３４，３５が、支持体３１の表面に付けられた接着剤であるが、実施の形態２と同じように、緩衝部３４，３５が、カバー３３の表面に付けられた接着剤であってもよい。あるいは、実施の形態３と同じように、緩衝部３４，３５が、支持体３１の表面の隆起であってもよい。
【０１１１】
本実施の形態では、実施の形態１と同じように、すべての太陽電池セル３２に対して緩衝部３４または緩衝部３５が１つずつ設置されているが、緩衝部３４または緩衝部３５の数は減らしてもよい。
【０１１２】
本実施の形態では、実施の形態１と同じように、太陽光発電装置３０が太陽電池ブランケットとして構成されているが、実施の形態１の変形例と同じように、太陽光発電装置３０が太陽電池パネルとして構成されていてもよい。
【０１１３】
実施の形態５．
本実施の形態について、図１１および図１２を用いて主に実施の形態１との差異を説明する。
＊＊＊構成の説明＊＊＊
図１１および図１２を参照して、本実施の形態に係る太陽光発電装置３０の構成を説明する。
【０１１４】
図１１では、図５と同じように、８つの太陽光発電装置３０のうち、任意の４つの太陽光発電装置３０に相当する２対の太陽光発電装置３０Ｈ，３０Ｊを示している。
【０１１５】
太陽光発電装置３０Ｈは、収納時に太陽光発電装置３０Ｊと重ねられる。
【０１１６】
太陽光発電装置３０Ｈ，３０Ｊの構成は、以下に説明する点を除き、それぞれ実施の形態１における太陽光発電装置３０Ａ，３０Ｂの構成と同じである。
【０１１７】
本実施の形態では、複数の太陽光発電装置３０のそれぞれにおける複数の太陽電池セル３２の位置が、全体的に支持体３１の幅方向Ｄ２の一端縁に寄っている。このため、支持体３１の幅方向Ｄ２の一端縁と当該一端縁に最も近い太陽電池セル３２との間の距離が、支持体３１の幅方向Ｄ２の他端縁と当該他端縁に最も近い太陽電池セル３２との間の距離よりも小さい。これら２つの距離の差は、１つの太陽電池セル３２の幅寸法よりも小さいことが望ましく、本実施の形態では、１つの太陽電池セル３２の幅寸法の半分程度である。図１１に示した太陽光発電装置３０Ｈ，３０Ｊでは、支持体３１の幅方向Ｄ２の「一端縁」は、左端縁であり、「他端縁」は、右端縁である。
【０１１８】
図１２に示すように、本実施の形態では、複数の太陽光発電装置３０の収納時に、複数の太陽光発電装置３０のうち、互いに重なり合う２つの太陽光発電装置３０の一方である太陽光発電装置３０Ｈの複数の太陽電池セル３２が、支持体３１の幅方向Ｄ２にずれた位置で当該２つの太陽光発電装置３０の他方である太陽光発電装置３０Ｊの複数の太陽電池セル３２に対向する。すなわち、本実施の形態では、隣接する太陽光発電装置３０Ｈ，３０Ｊの両方で、ブランケットの同じ端からの太陽電池セル３２の実装位置が意図的にずらされている。このため、支持体３１の幅方向Ｄ２において、収納時に接触する隣接ブランケット間の緩衝部３４，３５の位置がずれる。よって、実施の形態１に比べて、太陽電池パドル１１が折り畳まれた状態での太陽光発電装置３０の平面度が向上し、ブランケット間の距離をより小さくすることができる。
【０１１９】
＊＊＊実施の形態の効果の説明＊＊＊
本実施の形態では、実施の形態１と同等の効果が得られるほか、太陽電池パドル１１が折り畳まれた状態での太陽光発電装置３０の平面度が向上するため、収納時の太陽電池パドル１１の小型化が可能になるという効果も得られる。
【０１２０】
＊＊＊他の構成＊＊＊
本実施の形態では、実施の形態１と同じように、緩衝部３４，３５が、支持体３１の表面に付けられた接着剤であるが、実施の形態２と同じように、緩衝部３４，３５が、カバー３３の表面に付けられた接着剤であってもよい。あるいは、実施の形態３と同じように、緩衝部３４，３５が、支持体３１の表面の隆起であってもよい。また、実施の形態４と同じように、隣接する太陽光発電装置３０Ｈ，３０Ｊ間で、太陽電池セル３２に対する緩衝部３４，３５の配置およびダイオード３６の接合位置が左右逆になっていてもよい。
【０１２１】
本実施の形態では、実施の形態１と同じように、すべての太陽電池セル３２に対して緩衝部３４または緩衝部３５が１つずつ設置されているが、緩衝部３４または緩衝部３５の数は減らしてもよい。
【０１２２】
本実施の形態では、実施の形態１と同じように、太陽光発電装置３０が太陽電池ブランケットとして構成されているが、実施の形態１の変形例と同じように、太陽光発電装置３０が太陽電池パネルとして構成されていてもよい。
【０１２３】
実施の形態６．
本実施の形態について、図１３を用いて主に実施の形態１との差異を説明する。
＊＊＊構成の説明＊＊＊
図１３を参照して、本実施の形態に係る太陽光発電装置３０の構成を説明する。
【０１２４】
本実施の形態では、複数の太陽光発電装置３０が連続して接続されるのではなく、複数の太陽光発電装置３０と、太陽電池セル３２が実装されていない複数の支持体６１とが１つずつ交互に接続されている。「複数の太陽光発電装置３０」に含まれる太陽光発電装置３０の数は、２つ以上であればよいが、本実施の形態では４つである。すなわち、本実施の形態では、実施の形態１における８つの太陽光発電装置３０のうち、一端から奇数番目または偶数番目の太陽光発電装置３０が、太陽電池セル３２が実装されていない支持体６１に置き換えられている。また、それぞれの太陽光発電装置３０の構成も、実施の形態１とは異なっている。
【０１２５】
図１３では、４つの太陽光発電装置３０のうち、任意の２つの太陽光発電装置３０に相当する太陽光発電装置３０Ｋ，３０Ｌと、太陽光発電装置３０Ｋ，３０Ｌにそれぞれ接続された２つの支持体６１とを示している。
【０１２６】
太陽光発電装置３０Ｋ，３０Ｌは、それぞれ収納時に支持体６１と重ねられる。
【０１２７】
太陽光発電装置３０Ｋ，３０Ｌの構成は、緩衝部３４，３５が省略されている点を除き、それぞれ実施の形態１における太陽光発電装置３０Ａ，３０Ｂの構成と同じである。
【０１２８】
支持体６１の構成は、太陽電池セル３２が実装されていない点を除き、太陽光発電装置３０の支持体３１の構成と同じである。
【０１２９】
上記のように、本実施の形態では、太陽電池パドル１１が、太陽電池セル３２が実装されたブランケットと、太陽電池セル３２が実装されていないブランケットとが交互に接続された構成になっており、ブランケット自体に緩衝機能を発揮させている。
【０１３０】
本実施の形態では、太陽電池セル３２が隣接するブランケットの一方のみに実装され、太陽電池セル３２が実装されたブランケットと太陽電池セル３２が実装されていないブランケットとが交互に連結されている。このため、収納時には、太陽電池セル３２が実装されていないブランケットが緩衝材の役割を果たし、対向するブランケットに実装された太陽電池セル３２の表面を保護する。よって、ロケット打ち上げ環境下での太陽電池セル３２同士の衝突に起因する太陽電池セル３２の損傷を防止することができる。
【０１３１】
＊＊＊実施の形態の効果の説明＊＊＊
本実施の形態によれば、緩衝部３４，３５の施工が不要となる上、ブランケットの平面度が、実施の形態１から実施の形態５に比べて、より一層向上する。
【０１３２】
＊＊＊他の構成＊＊＊
本実施の形態では、実施の形態１から実施の形態５と異なり、緩衝部３４，３５が設置されていないが、実施の形態１から実施の形態５と同じように、太陽電池セル３２に対して緩衝部３４または緩衝部３５が１対１または１対多で設置されていてもよい。
【０１３３】
実施の形態７．
本実施の形態について、図１４を用いて主に実施の形態１との差異を説明する。
＊＊＊構成の説明＊＊＊
図１４を参照して、本実施の形態に係る太陽光発電装置３０の構成を説明する。
【０１３４】
図１４では、図５と同じように、８つの太陽光発電装置３０のうち、任意の４つの太陽光発電装置３０に相当する２対の太陽光発電装置３０Ｍ，３０Ｎを示している。
【０１３５】
太陽光発電装置３０Ｍは、収納時に太陽光発電装置３０Ｎと重ねられる。
【０１３６】
太陽光発電装置３０Ｍ，３０Ｎの構成は、以下に説明する点を除き、それぞれ実施の形態１における太陽光発電装置３０Ａ，３０Ｂの構成と同じである。
【０１３７】
太陽光発電装置３０Ｍ，３０Ｎは、緩衝部３４，３５を備える代わりに、スペーサ３７を備える。
【０１３８】
スペーサ３７は、支持体３１の長さ方向Ｄ１の一端縁から他端縁まで、太陽電池セル３２に取り付けられたカバー３３の表面に接触しながら、あるいは、太陽電池セル３２に取り付けられたカバー３３の表面と間隔を空けて延びるように設置されている。本実施の形態では、スペーサ３７は、太陽電池セル３２の列に沿って直線状に延びている。スペーサ３７の数は、太陽電池セル３２の列ごとに少なくとも１本あればよいが、本実施の形態では、太陽電池セル３２の列ごとに２本である。スペーサ３７は、金属製のワイヤでもよいが、繊維製の結束糸等、カバーガラスを割りにくい材料で形成されたものであることが望ましい。また、スペーサ３７は、太陽電池セル３２の発電面積の減損を最小限に抑えるために、できるだけ細い線状であることが望ましい。
【０１３９】
スペーサ３７の高さ位置は、太陽電池パドル１１が折り畳まれた状態で隣接ブランケット間の太陽電池セル３２同士が接触しない最小限の隙間を維持できる高さ位置である。したがって、ロケット打ち上げ環境下での太陽電池セル３２同士の衝突に起因する太陽電池セル３２の損傷を防止することができる。
【０１４０】
＊＊＊実施の形態の効果の説明＊＊＊
本実施の形態によれば、緩衝部３４，３５の施工が不要となる上、ブランケット表面に偏りなくスペーサ３７を配置することができるので、ブランケットの平面度が、実施の形態１から実施の形態５に比べて、より一層向上する。
【０１４１】
＊＊＊他の構成＊＊＊
本実施の形態では、すべての太陽電池セル３２に対して２本ずつスペーサ３７が設けられているが、ブランケットサイズおよびセルサイズによっては、すべての太陽電池セル３２に対して１本ずつまたは３本以上ずつスペーサ３７が設けられていてもよい。あるいは、隣接するブランケットの一方のみにスペーサ３７が設けられていてもよい。スペーサ３７の数を減らすことで、打ち上げ環境に耐え得る範囲内での軽量化および製造簡略化が可能となる。
【０１４２】
本実施の形態では、実施の形態１から実施の形態５と異なり、緩衝部３４，３５が設置されていないが、実施の形態１から実施の形態５と同じように、太陽電池セル３２に対して緩衝部３４または緩衝部３５が１対１または１対多で設置されていてもよい。
【０１４３】
本実施の形態では、実施の形態１と同じように、太陽光発電装置３０が太陽電池ブランケットとして構成されているが、実施の形態１の変形例と同じように、太陽光発電装置３０が太陽電池パネルとして構成されていてもよい。
【０１４４】
以上、本発明の実施の形態について説明したが、これらの実施の形態のうち、２つ以上の実施の形態を組み合わせて実施しても構わない。あるいは、これらの実施の形態のうち、１つの実施の形態または２つ以上の実施の形態の組み合わせを部分的に実施しても構わない。なお、本発明は、これらの実施の形態に限定されるものではなく、必要に応じて種々の変更が可能である。
【符号の説明】
【０１４５】
１０  宇宙構造物、１１  太陽電池パドル、１２  構造物本体、１３  アンテナ、１４  配線、１５  絶縁フィルム、１６  接着剤、１７  インターコネクタ、１８  ハニカムコア、１９  表皮、２０  フェアリング、２１  展開機構、２２  押さえ板、３０  太陽光発電装置、３０Ａ  太陽光発電装置、３０Ｂ  太陽光発電装置、３０Ｃ  太陽光発電装置、３０Ｄ  太陽光発電装置、３０Ｅ  太陽光発電装置、３０Ｆ  太陽光発電装置、３０Ｇ  太陽光発電装置、３０Ｈ  太陽光発電装置、３０Ｊ  太陽光発電装置、３０Ｋ  太陽光発電装置、３０Ｌ  太陽光発電装置、３０Ｍ  太陽光発電装置、３０Ｎ  太陽光発電装置、３１  支持体、３２  太陽電池セル、３２Ｘ  第１太陽電池セル、３２Ｙ  第２太陽電池セル、３２Ｚ  第３太陽電池セル、３３  カバー、３４  緩衝部、３５  緩衝部、３６  ダイオード、３７  スペーサ、４０  領域、４１  角部、４２  角取り部、４３  角部、４４  角取り部、５１  角部、５２  角取り部、５３  角部、５４  角部、５５  角部、６１  支持体。
【図１】
2017195289.tif 000003
【図２】
2017195289.tif 000004
【図３】
2017195289.tif 000005
【図４】
2017195289.tif 000006
【図５】
2017195289.tif 000007
【図６】
2017195289.tif 000008
【図７】
2017195289.tif 000009
【図８】
2017195289.tif 000010
【図９】
2017195289.tif 000011
【図１０】
2017195289.tif 000012
【図１１】
2017195289.tif 000013
【図１２】
2017195289.tif 000014
【図１３】
2017195289.tif 000015
【図１４】
2017195289.tif 000016
【国際調査報告】
2017195289.tif 000017
2017195289.tif 000018
2017195289.tif 000019
2017195289.tif 000020